(57)【要約】【要  約】【課題】  電気的特性を安定化できると共に、キャップの強度を低下させない。【解決手段】  トッププラグ１５の上部にアンテナカバー１１をモールドする。トッププラグ１５の上部のネジ部１５ａにコイルボビン１３の下部を螺着して、アンテナカバー１１内にコイルボビン１３を収納する。次いで、キャップ１２をアンテナカバー１１の上端に嵌着すると、キャップ１２はアンテナカバー１１に対して回転できないように係合されると共に、コイルボビン１３の頭部に回転できないように嵌合される。これにより、コイルボビン１３はアンテナカバー１１に対して回転できないようになり、コイルボビン１３の緩み止めとなる。【選択図】  図１
2006086566.tif 000002
【特許請求の範囲】
【請求項１】
ホイップアンテナ部の上端にアンテナトップ部が設けられている移動機用アンテナであって、
前記アンテナトップ部は、
外周面にヘリカル溝が形成されているコイルボビンと、
該コイルボビンの前記ヘリカル溝内に巻回されているヘリカルアンテナと、
該ヘリカルアンテナの下端が電気的に接続されていると共に、前記コイルボビンの下部が螺着されている細長い形状の導電性のトッププラグと、
該トッププラグの全体に亘り形成されている貫通孔内に形成されて、その下端から突出している絶縁性のジョイントと、
前記トッププラグの上部に一体に形成されており、内部に上記コイルボビンが収納される収納空間を有し上部が開口しているほぼ円筒状の絶縁性とされたアンテナカバーと、
該アンテナカバーの上部に嵌着されている絶縁性のキャップとを備え、
前記キャップには、前記アンテナカバーの上部に嵌着した際に、前記アンテナカバーの上部内側に形成されている係合溝に係合する係合片と、前記コイルボビンの頭部に嵌合して前記コイルボビンの回転を防止する嵌合片が設けられていることを特徴とする移動機用アンテナ。
【請求項２】
前記トッププラグに形成されている貫通孔内の上部の内周面にネジ部が形成されていると共に、前記コイルボビンの頭部に回転用の工具を挿入可能な切溝が形成されており、該ネジ部に前記コイルボビンの下部に形成されているネジ部が螺着されるようにしたことを特徴とする請求項１記載の移動機用アンテナ。
【請求項３】
前記キャップに設けられている前記嵌合片に、前記コイルボビンの頭部に緊密に嵌合するための突起が形成されていることを特徴とする請求項１記載の移動機用アンテナ。
【発明の詳細な説明】
【技術分野】
【０００１】
本発明は、携帯電話機等の移動無線機に備えられる移動機用アンテナに関するものである。
【背景技術】
【０００２】
携帯電話機が普及しているが、この携帯電話機においては通話や情報を送受信するためにアンテナが備えられている。このアンテナは、待ち受け時には携帯に便利なように、携帯電話機の筐体に収納できるリトラクティブなアンテナとされているのが一般的である。
しかしながら、ホイップアンテナ部を筺体内に収納した時には携帯電話機は送信および受信がほぼ不可能になることから、ホイップアンテナ部を筐体に収納したときにおいても、筐体外に位置する小型のエレメントを内蔵したアンテナトップ部をホイップエレメントの先端に設けるようにしている。これにより、ホイップアンテナ部を筐体に収納した時には、このアンテナトップ部を使用して送受信することができるようになる。
【０００３】
このような移動機用アンテナの従来の全体構成を図７に示す。
図７に示す従来の移動機用アンテナ１００は、ホイップアンテナ部１０１とアンテナトップ部１０２とを備え、ホイップアンテナ部１０１とアンテナトップ部１０２とは、絶縁性のジョイント１１３により機械的に接続されている。ホイップアンテナ部１０１を構成している線状のホイップエレメントの先端は、ジョイント１１３の一端に略一軸上に位置するように一体成形されて機械的に接続されており、このホイップエレメントの下端は導電性のストッパー部１１４にカシメ加工されて固着されている。ストッパー部１１４の下端には若干径が大きくされている係止部１１５が設けられている。さらに、ホイップアンテナ部１０１は導電性のホルダー部１０３に摺動自在に保持されている。
【０００４】
このように構成された移動機用アンテナ１００において、例えば金属製とされたホルダー部１０３は携帯電話機等の筐体に取り付けられ、ホイップアンテナ部１０１がホルダー部１０３に対して伸長された時は、ホルダー部１０３に下方からストッパー部１１４が挿入保持され、係止部１１５がホルダー部１０３の下面に当接するようになる。これにより、ホイップアンテナ部１０１がホルダー部１０３に電気的に接続されるようになり、ホイップアンテナ部１０１のみが動作状態となる。また、ホイップアンテナ部１０１を筐体内に収納した時は、アンテナトップ部１０２の下面がホルダー部１０３の上面に当接するまでジョイント１１３がホルダー部１０３に上方から挿入され、ジョイント１１３がインサート成形されている金属製のトッププラグ１１２がホルダー部１０３に電気的に接続される。これにより、トッププラグ１１２に接続されていると共に、アンテナトップ部１０２内に収納されているヘリカルアンテナのみが動作状態となる。
【０００５】
このような移動機用アンテナ１００を携帯電話機に適用した際に、移動機用アンテナ１００を伸張した場合はホイップアンテナ部１０１を使用して効率よく送受信することができると共に、移動機用アンテナ１００を収納してコンパクトにした場合はアンテナトップ部１０２内に収納されているヘリカルアンテナを使用して送受信することができるようになる。
なお、ジョイント１１３によりホイップアンテナ部１０１とアンテナトップ部１０２とが絶縁されているが、これは、ホイップアンテナ部１０１とヘリカルアンテナとを各々独立してアンテナとして動作させるためである。すなわち、ヘリカルアンテナの給電手段であるトッププラグ１１２と、ホイップアンテナ部１０１との間に静電容量が発生すると、ヘリカルアンテナとホイップアンテナ部１０１とが電気的に結合して、それぞれのアンテナの動作に悪影響を及ぼすようになる。これを防止するために、アンテナトップ部１０２とホイップアンテナ部１０１との間を十分離隔して静電容量が発生しないように、絶縁性のジョイント１１３を介在させて離隔しているのである。
【０００６】
次に、図７に示す移動機用アンテナ１００におけるアンテナトップ部の構成の一例を図８に示す。
図８に示すアンテナトップ部１０２ａにおいて、ジョイント１１３ａは、金属製のトッププラグ１１２ａ内を貫通する貫通孔内にインサート成形されてトッププラグ１１２ａと一体化されている。トッププラグ１１２ａは、径が大きくされている本体上部と下方へ延伸されている径の細い本体下部とから構成されている。トッププラグ１１２ａの全体に亘り軸方向に貫通孔が形成されており、本体上部における貫通孔の内周面にはネジ部が形成されている。ヘリカルアンテナ１１７は、コイルボビン１１６の外周面に形成されているヘリカル溝内に巻回されている。ヘリカルアンテナ１１７がコイルボビン１１６に固着された状態において、コイルボビン１１６の下端に設けられているネジ部をトッププラグ１１２ａの本体上部に形成されているネジ部に螺着する。次いで、コイルボビン１１６およびトッププラグ１１２ａの上部を覆うようにアンテナカバー１１１ａを射出成形することによりアンテナトップ部１０２ａが作成されている。
【０００７】
また、図７に示す移動機用アンテナ１００におけるアンテナトップ部の構成の他の例を図９に示す。
図９に示すアンテナトップ部１０２ｂにおいて、細長い棒状に形成されたジョイント１１３ｂは、金属製のトッププラグ１１２ｂ内を貫通する貫通孔内に挿通されて、その下端から下部が延伸されている。このジョイント１１３ｂの上部に位置するボビン部１１８の径は若干大きくされて、ボビン部１１８の境界における段部がトッププラグ１１２ｂの上端に当接して、ボビン部１１８はトッププラグ１１２ｂの上部から突出している。トッププラグ１１２ｂは、径が大きくされている本体上部と下方へ延伸されている径の細い本体下部とから構成されている。トッププラグ１１２ｂの全体に亘り軸方向に貫通孔が形成されており、本体上部における貫通孔の内周面にはネジ部１２０が形成されている。ヘリカルアンテナ１１９は、ボビン部１１８の外側面に装着されており、ボビン部１１８の上端にはヘリカルアンテナ１１９の抜け止め用の拡径部が形成されている。ヘリカルアンテナ１１９の下端はトッププラグ１１２ｂの上端部に嵌着されて電気的に接続されている。ヘリカルアンテナ１１９がボビン部１１８に装着された状態において、ボビン部１１８の上からアンテナカバー１１１ｂが嵌挿されて、アンテナカバー１１１ｂの内周面に設けられているネジ部が、トッププラグ１１２ｂのネジ部１２０に螺着される。この際に、ネジ部１２０には緩み止めのために接着剤を塗布しておく。
【特許文献１】特許第３４５５５０５号公報
【発明の開示】
【発明が解決しようとする課題】
【０００８】
図８に示すアンテナトップ部１０２ａにおいては、アンテナカバー１１１ａが一体にモールドされてアンテナトップ部１０２ａが形成されている。すると、アンテナトップ部１０２ａ内に配置されたヘリカルアンテナ１１７が誘電体であるアンテナカバー１１１ａに埋め込まれるようになるため、ヘリカルエレメントからなるアンテナの電気的特性が良好にならないという問題点が生じる。さらに、モールドしたアンテナカバー１１１ａの表面に成形型内に残留していた異物が表れ、外観不良が発生し易い問題点も生じる。
図９に示すアンテナトップ部１０２ｂにおいては、アンテナカバー１１１ｂを接着剤を塗布したトッププラグ１１２ｂに螺着している。このように、アンテナカバー１１１ｂを接着剤を使用して固着するようにすると、接着剤を塗布する等の作業工程やその管理が必要になると共に、接着剤のはみ出しによる外観不良となったり、接着剤の不足によるアンテナカバー１１１ｂの脱落等の問題点が生じる。
さらに、外観不良が発生した移動機用アンテナは、その全体を廃棄しなければならず、前記各問題点により歩留まりが悪化すると共にコストを押し上げる要因となっていた。
【０００９】
そこで、本発明は電気的特性を安定化できると共に、強度のバラツキが生じない移動機用アンテナを提供することを目的としている。
【課題を解決するための手段】
【００１０】
上記目的を達成するために、本発明の移動機用アンテナは、アンテナカバーの上部内側に形成されている係合溝に係合する係合片と、コイルボビンの頭部に嵌合してコイルボビンの回転を防止する嵌合片が設けられているキャップを、トッププラグの上部に一体に形成されたアンテナカバーの上部に嵌着するようにしたことを最も主要な特徴としている。
【発明の効果】
【００１１】
本発明によれば、アンテナカバーの上部内側に形成されている係合溝に係合する係合片と、コイルボビンの頭部に嵌合してコイルボビンの回転を防止する嵌合片が設けられているキャップを、トッププラグの上部に一体に形成されたアンテナカバーの上部に嵌着するようにしたことにより、アンテナカバーがヘリカルアンテナ上にモールドされないと共に、アンテナトップ部を接着剤を用いることなく組み立てられるようになる。これにより、電気的特性を安定化できると共に、強度のバラツキが生じない移動機用アンテナとすることができる。
【発明を実施するための最良の形態】
【００１２】
電気的特性を安定化できると共に、強度のバラツキが生じない移動機用アンテナを提供するという目的を、アンテナカバーの上部内側に形成されている係合溝に係合する係合片と、コイルボビンの頭部に嵌合してコイルボビンの回転を防止する嵌合片が設けられているキャップを、トッププラグの上部に一体に形成されたアンテナカバーの上部に嵌着するようにしたことで実現した。
【００１３】
携帯電話機等の移動無線機に備えられる本発明の移動機用アンテナの全体の外観および機能は、図７に示す移動機用アンテナ１００と同様であり、本発明の移動機用アンテナの構成はアンテナトップ部の構成を除いて図７に示す移動機用アンテナ１００と同様になっている。本発明の移動機用アンテナは、そのアンテナトップ部に特徴を有しており、アンテナトップ部の構成を示す断面図を図１に示す。なお、本発明にかかる移動機用アンテナの全体の外観および機能については、図７に示す移動機用アンテナ１００と同様とされているため、その説明は省略する。
本発明の移動機用アンテナにおいて、図示しないホイップアンテナ部を構成しているホイップエレメントの先端に、樹脂製のジョイント１６の下部が一体成形されて固着されている。図１に示すように、ジョイント１６は、金属製のトッププラグ１５内を貫通する貫通孔内にインサート成形、あるいは、トッププラグ１５の貫通孔内に上から挿入されてトッププラグ１５と一体化されている。
【００１４】
トッププラグ１５は、径が大きくされている本体上部と本体上部から下方へ延伸されている径の細い本体下部とから構成されている。本体上部の先端部には、線状の金属線をコイル状に巻回して形成されているヘリカルアンテナ１４の下端が収納される収納部が形成されている。また、トッププラグ１５の全体に亘り軸方向に貫通孔が形成されており、本体上部における貫通孔の内周面にはネジ部１５ａが形成されている。さらに、トッププラグ１５の本体上部には樹脂製のアンテナカバー１１が一体に成型されている。アンテナカバー１１は、ほぼ円筒状の形状とされて上部は開口されている。このアンテナカバー１１の内部に形成されている収納空間にヘリカルアンテナ１４が装着されているコイルボビン１３が収納されている。
【００１５】
コイルボビン１３の外周面にはヘリカル状の溝部が形成されており、このヘリカル状の溝部にヘリカル状に形成されているヘリカルアンテナ１４がねじ込まれて固着されている。コイルボビン１３の下部にはネジ部が形成されており、このネジ部がトッププラグ１５の本体上部に形成されているネジ部１５ａに螺着されることによりコイルボビン１３がトッププラグ１５に固着されて、アンテナカバー１１内に収納されるようになる。アンテナカバー１１の上端には、樹脂製のキャップ１２が嵌着されている。後述するが、キャップ１２がアンテナカバー１１の上端に嵌着された際に、キャップ１２に形成されている係合片がアンテナカバー１１に形成されている係合溝に係合されてキャップ１２はアンテナカバー１１に対して回転できないようになる。さらに、キャップ１２がコイルボビン１３の頭部に嵌合されて、キャップ１２はコイルボビン１３に対して回転できないようになる。これにより、コイルボビン１３は、アンテナカバー１１に対して回転できないようになり、コイルボビン１３の緩み止めとすることができる。
【００１６】
次に、本発明の移動機用アンテナにかかるアンテナトップ部２の組み立て工程を図２ないし図４に示す。
図２に示す第１の組み立て工程では、ヘリカルアンテナ１４がコイルボビン１３に固着される。樹脂製のコイルボビン１３は、丸棒状のボビン本体１３ｂと、ボビン本体１３ｂの上部に形成された径が細くされているボビン頭部１３ａと、ボビン本体１３ｂの下部に形成されたボビン下部１３ｄとから構成されている。ボビン頭部１３ａには切溝１３ｅが形成されており、この切溝１３ｅにドライバーの先端を挿入することにより、ドライバーによりコイルボビン１３を回転させることができる。また、ボビン本体１３ｂの外周面にはヘリカル状の溝部１３ｃが形成されており、ボビン下部１３ｄの外周面にはトッププラグ１５の本体上部に設けられているネジ部１５ａに螺着可能なネジ部が形成されている。ヘリカルアンテナ１４は線状の金属をヘリカル状に加工して形成されている。第１の組み立て工程では、ボビン本体１３ｂの外周面に形成された溝部１３ｃにヘリカルアンテナ１４をねじ込んで行くことにより、コイルボビン１３にヘリカルアンテナ１４を装着している。
【００１７】
図３に示す第２の組み立て工程は第１の組み立て工程後に行われ、ヘリカルアンテナ１４が固着されたコイルボビン１３がトッププラグ１５に螺着される。トッププラグ１５の本体上部には、アンテナカバー１１の下部が一体にモールドされている。アンテナカバー１１は、ほぼ円筒状の形状とされたカバー本体１１ａを備えている。カバー本体１１ａの内部は収納空間１１ｂとされ、収納空間１１ｂの上部に複数（例えば、４つ）の係合溝１１ｃが形成されている。係合溝１１ｃの延伸方向はアンテナカバー１１の軸方向とされている。第２の組み立て工程では、このアンテナカバー１１の収納空間１１ｂ内に上からヘリカルアンテナ１４が固着されたコイルボビン１３を挿入し、コイルボビン１３のボビン頭部１３ａに形成されている切溝１３ｅにドライバーの先端を挿入してコイルボビン１３を回転させることにより、ボビン下部１３ｄに形成されているネジ部をトッププラグ１５のネジ部１５ａに螺着していく。これにより、ヘリカルアンテナ１４が装着されているコイルボビン１３がトッププラグ１５のネジ部１５ａに固着される。この際に、ヘリカルアンテナ１４の下部がトッププラグ１５の上部に嵌合して両者が電気的に接続されるようになる。
【００１８】
図４に示す第３の組み立て工程は第２の組み立て工程後に行われ、コイルボビン１３が収納されたアンテナカバー１１の上部にキャップ１２が嵌着される。樹脂製のキャップ１２は断面が円弧状の一対の嵌合片１２ａを備えていると共に、アンテナカバー１１の収納空間１１ｂ内に形成されている係合溝１１ｃに係合可能な一対の係合片が形成されている。第３の組み立て工程では、このキャップ１２がコイルボビン１３が収納されたアンテナカバー１１の上部に嵌着される。これにより、アンテナカバー１１の収納空間１１ｂ内に形成されている係合溝１１ｃに、キャップ１２に形成されている係合片が係合して、キャップ１２はアンテナカバー１１に対して回転できないようになる。また、キャップ１２に形成されている嵌合片１２ａがボビン頭部１３ａに嵌合されて、キャップ１２はコイルボビン１３に対して回転できないようになる。この結果、トッププラグ１５に螺着されているコイルボビン１３は、トッププラグ１５に一体にモールドされているアンテナカバー１１に対して回転できなくなり、コイルボビン１３の緩み止めとなる。この第３の組立工程を行うことにより、図１に示すアンテナトップ部２が組み立てられるようになる。
【００１９】
上記したコイルボビン１３の緩み止めとなる構成をさらに詳細に説明するために、キャップ１２の構成を示す斜視図を図５に、アンテナカバー１１の構成を示す斜視図を図６に示す。
これらの図に示すように、キャップ１２は、アンテナカバー１１の上部を塞ぐほぼ円形の閉塞板１２ｂを備え、この閉塞板１２ｂの下面から断面が円弧状の一対の嵌合片１２ａが突出するよう形成されている。この嵌合片１２ａの外側に細長い係合片１２ｃがそれぞれ形成されている。さらに、嵌合片１２ａの内周面にそれぞれ一対の突起１２ｄが形成されている。また、アンテナカバー１１の収納空間１１ｂの上部には４つの係合溝１１ｃが軸方向に形成されている。キャップ１２をアンテナカバー１１に嵌着する際には、この係合溝１１ｃに係合片１２ｃを位置合わせして嵌着する。これにより、アンテナカバー１１の収納空間１１ｂ内に形成されている係合溝１１ｃに、キャップ１２に形成されている係合片１２ｃが係合して、キャップ１２はアンテナカバー１１に対して回転できないようになる。さらに、キャップ１２に形成されている嵌合片１２ａがボビン頭部１３ａに嵌合された際に、嵌合片１２ａに形成されている突起１２ｄによりボビン頭部１３ａは緊密に嵌合されて、キャップ１２はコイルボビン１３に対して回転できないようになる。この結果、トッププラグ１５に螺着されているコイルボビン１３は、トッププラグ１５に一体にモールドされているアンテナカバー１１に対して回転できなくなり、コイルボビン１３の緩み止めとなるのである。
【００２０】
このように、アンテナカバー１１がヘリカルコイル上にモールドされる構成とされていないと共に、接着剤を用いることなくアンテナトップ部２を組み立てることができるようになる。したがって、本発明の移動機用アンテナにおけるアンテナトップ部においては、電気的特性を安定化できると共に、強度のバラツキが生じない移動機用アンテナとすることができる。また、アンテナカバー１１やキャップ１２に外観不良が発生した場合には、それらの部品のみを廃棄すればよいことから歩留まりを良好にすることができる。
なお、係合溝１１ｃと係合片１２ｃは、互いに係合できれば任意の数とすることができる。また、突起１２ｄの数も任意の数にすることができる。
【００２１】
ところで、本発明の移動機用アンテナが携帯電話機用アンテナとされる際には、ホイップアンテナ部及びヘリカルアンテナ１４の電気長を、共に使用する周波数帯における例えば中心波長の約１／４波長とすることができる。このようにすると、両アンテナのインピーダンスをほぼ同様のインピーダンスとすることができると共に、そのインピーダンスを扱い易い低いインピーダンスとすることができる。このため、送受信回路の出力インピーダンスを、両アンテナのインピーダンスと略同じインピーダンスとすることが可能となり、給電部に設けられる整合回路を省略することも可能となる。
また、ホイップアンテナ部及びヘリカルアンテナ１４の電気長を、共に使用する周波数帯の波長の約１／２波長とすることもできる。このようにすると、両アンテナのインピーダンスが高くなることからユーザの影響を受けにくい携帯電話用アンテナとすることができる。この場合にも、両アンテナのインピーダンスはほぼ同様のインピーダンスとなるが、その値が高いため給電部に設けられる整合回路により送受信回路と整合させることが必要となる。
さらに、給電部における整合回路を簡単化すると共に、ユーザの影響を受けにくくなるように、ホイップアンテナ部及びヘリカルアンテナ１４の電気長を、共に使用する周波数帯の波長の約３／８波長あるいは約５／８波長としてもよい。
【００２２】
ただし、本発明にかかるホイップアンテナ部及びヘリカルアンテナ１４のように線状のアンテナとヘリカルコイル状のアンテナとの電気長を略等しく規定することは、形状が異なるアンテナ間における電気長の相違の測定方法が確立されていないことからきわめて困難である。そこで、ここでいう電気長が略等しいとは、いずれのアンテナであっても使用周波数帯域において共通の給電部に略整合がとれて、共通の給電部により給電しても不都合が生じないことを意味するものとする。整合がとれていることは、使用周波数帯域内における測定したホイップアンテナ部及びヘリカルアンテナ１４のＶＳＷＲが規定する値の範囲内とされている際に、整合がとれているものとすればよい。
なお、上記の説明においてトッププラグ１５およびヘリカルアンテナ１４は金属製としたが、金属製に限らず導電性の素材により作成することができる。
【産業上の利用可能性】
【００２３】
以上の説明では携帯電話機に適用する移動機用アンテナとして説明したが、携帯電話機をはじめとする移動通信用の無線機の全般に本発明にかかる移動機用アンテナを適用することができるものである。
【図面の簡単な説明】
【００２４】
【図１】本発明の移動機用アンテナの実施例におけるアンテナトップ部の構成を示す断面図である。
【図２】本発明の移動機用アンテナにかかるアンテナトップ部の第１の組み立て工程を示す図である。
【図３】本発明の移動機用アンテナにかかるアンテナトップ部の第２の組み立て工程を示す図である。
【図４】本発明の移動機用アンテナにかかるアンテナトップ部の第３の組み立て工程を示す図である。
【図５】本発明の移動機用アンテナのアンテナトップ部におけるキャップの構成を示す斜視図である。
【図６】本発明の移動機用アンテナのアンテナトップ部におけるアンテナカバーの構成を示す斜視図である。
【図７】移動機用アンテナの従来の全体構成を示す図である。
【図８】従来の移動機用アンテナにおけるアンテナトップ部の構成の一例を示す図である。
【図９】従来の移動機用アンテナにおけるアンテナトップ部の構成の他の例を示す図である。
【符号の説明】
【００２５】
２  アンテナトップ部、１１  アンテナカバー、１１ａ  カバー本体、１１ｂ  収納空間、１１ｃ  係合溝、１２  キャップ、１２ａ  嵌合片、１２ｂ  閉塞板、１２ｃ  係合片、１２ｄ  突起、１３  コイルボビン、１３ａ  ボビン頭部、１３ｂ  ボビン本体、１３ｃ  溝部、１３ｄ  ボビン下部、１３ｅ  切溝、１４  ヘリカルアンテナ、１５  トッププラグ、１５ａ  ネジ部、１６  ジョイント、１００  移動機用アンテナ、１０１  ホイップアンテナ部、１０２  アンテナトップ部、１０２ａ  アンテナトップ部、１０２ｂ  アンテナトップ部、１０３  ホルダー部、１１１ａ  アンテナカバー、１１１ｂ  アンテナカバー、１１２  トッププラグ、１１２ａ  トッププラグ、１１２ｂ  トッププラグ、１１３  ジョイント、１１３ａ  ジョイント、１１３ｂ  ジョイント、１１４  ストッパー部、１１５  係止部、１１６  コイルボビン、１１７  ヘリカルアンテナ、１１８  ボビン部、１１９  ヘリカルアンテナ、１２０  ネジ部
【図１】
2006086566.tif 000003
【図２】
2006086566.tif 000004
【図３】
2006086566.tif 000005
【図４】
2006086566.tif 000006
【図５】
2006086566.tif 000007
【図６】
2006086566.tif 000008
【図７】
2006086566.tif 000009
【図８】
2006086566.tif 000010
【図９】
2006086566.tif 000011